(57)【特許請求の範囲】
【請求項１】
無線移動局相互間の通信を可能とする通信網と前記無線移動局との間の通信を中継する中継基地局の一部を構成するアンテナユニットと、前記アンテナユニットの近傍に設置された雨量計と、を有する雨量計測ユニットであって、
前記アンテナユニットは、基点から略水平面内において放射状に延びる複数の棒状のアンテナアームと、前記各アンテナアームの放射方向先端部近傍においてその下端が保持され、その上端が略鉛直上方向に延びるように立設された棒状の空中線と、前記基点から下方に延びて前記基点において前記複数のアンテナアームを集約保持する保持ポール部材と、を有して構成され、
前記雨量計は、前記雨量計の上面側に受水用の開口部を有して上下に延びる筒形状に構成されており、かつ、
前記上面側における最上部の高さ位置が実質的に前記水平面以下であるとともに、前記開口部の高さ位置が前記水平面と略等高である
ことを特徴とする雨量計測ユニット。
【請求項２】
前記無線移動局が、携帯電話であることを特徴とする請求項１に記載の雨量計測ユニット。
【請求項３】
前記無線移動局が、ＰＨＳ端末であることを特徴とする請求項１または２に記載の雨量計測ユニット。
【請求項４】
前記複数のアンテナアームが略等長である場合において、前記複数のアンテナアームの先端部同士を結ぶ円を断面として鉛直方向に延びる円筒領域内に、前記雨量計が配置されていることを特徴とする請求項１〜３のいずれか１項に記載の雨量計測ユニット。
【請求項５】
前記雨量計の開口部と前記アンテナアームとが、鉛直方向において重複しないことを特徴とする請求項１〜４のいずれか１項に記載の雨量計測ユニット。
【請求項６】
前記基点と前記雨量計の開口部中心とを結ぶ線が、前記雨量計と隣り合う２つの前記アンテナアームの前記基点における交差角の実質的な角度二等分線であることを特徴とする請求項１〜５のいずれか１項に記載の雨量計測ユニット。
【請求項７】
前記雨量計の開口部が実質的に半径ｒの円形断面を有し、前記アンテナアームの前記基点から前記先端部までの長さがＬであり、かつ、前記雨量計と隣り合う２つの前記アンテナアームの前記基点における交差角がθである場合において、前記基点から前記開口部中心までの前記水平面内における距離Ｘが実質的に、
Ｌ−ｒ≧Ｘ≧ｒ／｛ｓｉｎ（θ／２）｝
で与えられる範囲であることを特徴とする請求項６に記載の雨量計測ユニット。
【請求項８】
前記距離Ｘが実質的に、
［（Ｌ−ｒ）−ｒ／｛ｓｉｎ（θ／２）｝］／２≧Ｘ≧ｒ／｛ｓｉｎ（θ／２）｝
で与えられる範囲であることを特徴とする請求項７に記載の雨量計測ユニット。
【請求項９】
無線移動局相互間の通信を可能とする通信網と前記無線移動局との間の通信を中継する中継基地局の一部を構成するアンテナユニットの近傍に雨量計を取り付ける取付け方法であって、
前記アンテナユニットが、基点から実質的に水平面内において放射状に延びる複数の棒状のアンテナアームと、前記各アンテナアームの放射方向先端部近傍においてその下端が保持され、その上端が実質的に鉛直上方向に延びるように立設された棒状の空中線と、前記基点から下方に延びて前記基点において前記複数のアンテナアームを集約保持する保持ポール部材と、を有して構成され、かつ、
前記雨量計が、その上面側に受水用の開口部を有して上下に延びる筒形状に構成され、
前記雨量計を、その前記上面側における最上部の高さ位置が前記水平面以下となるとともに、前記開口部の高さ位置が前記水平面と略等高となるように取り付ける
ことを特徴とする雨量計の取付け方法。
【発明の詳細な説明】
【技術分野】
【０００１】
本発明は、雨量計測ユニット及び雨量計の取付け方法に関し、特に無線通信基地局近傍に配置した雨量計測ユニット等に関する。
【背景技術】
【０００２】
近年、地球温暖化や環境問題への取り組みが重要視されている。中でも気候変動に伴う突然の豪雨やそれによる水害等の自然災害の増加は深刻さを増している。そのような降雨に起因する災害の予防策として、雨量計を用いた雨量計測を利用することができる。
【０００３】
雨量計によって降雨量を計測し、その降雨量を常時又は定期的に監視すれば、雨の降り始めの時刻、雨がやんだ時刻、降り続いた時間、降雨量の傾向（雨が次第に強くなってきているか、次第に弱くなってきているか。）等の降雨に関する様々な情報を把握することができる。それらの情報に基づき、その降雨地域における自然災害の発生のおそれを把握したり予測したりすることができ、災害予防に貢献することができる。
【０００４】
また、例えば広範囲の地域に複数の雨量計を設置することにより、降雨範囲がどのように移動しているか等、降雨の状況変化についても把握することができる。それにより、より高精度に災害発生の予測をしたり、より早い段階での災害発生の予測をしたりすることができる。降雨範囲のみならず、現時点では雨が降っていない地域におけるその後の降雨予測が可能となり、住民を一層安全に避難させることも可能となる。
【０００５】
したがって、より高精度、より安全な災害予防の観点から、雨量計は広範囲の地域に亘って数多く設置されることが望ましい。なお、このような複数の雨量計を用いた雨量計測においては、一般的に、複数の雨量計の計測データを常時監視してデータを集約して解析する統合的な雨量計測システムが適用される。
【０００６】
一方、近年はＰＨＳを含む携帯電話等の普及に伴い、それらの無線通信基地局が広範囲かつ高密度に設置されている。そこで、それら無線通信基地局に雨量計を共架することができれば、新たに設置場所、設備を確保することなく、多数の雨量計測ユニットの設置が可能となり望ましい（例えば、特許文献１を参照。）。
【先行技術文献】
【特許文献】
【０００７】
【特許文献１】特開２００２−１８６０１５号公報
【発明の概要】
【発明が解決しようとする課題】
【０００８】
ここで、無線通信基地局は電波を発射して移動局と無線通信を行っていることから、無線通信基地局近傍、特に空中線に近接して雨量計を設置すると、無線通信基地局が発射する電波に悪影響を与えることがある。そこで、無線通信基地局近傍に雨量計を設置する場合は、無線通信基地局が発射する電波へ悪影響を与えないよう配慮する必要がある。
【０００９】
一方、雨量計の雨量計測精度についても考慮する必要がある。例えば、雨量計で捕捉すべき雨滴が無線通信基地局の機器部材等によって遮蔽されてしまうと、正確な雨量計測を行うことができない。また、無風状態では鉛直に落下する雨滴も、風によって斜め方向に雨量計受水口に入る場合があるため、この点についても無線通信基地局の機器部材と雨量計の相対位置を十分に検討する必要がある。
【００１０】
しかしながら、特許文献１に開示のものは、無線通信基地局とその近傍に設置する降雨センサーとの位置関係について考慮されていない。従って、無線通信基地局に降雨センサーを配置することによる無線通信電波に対する影響や、無線通信基地局の機器部材等による雨量計測精度への影響について技術的な検討が行われていない。
【００１１】
そこで、本発明は、無線通信基地局近傍に雨量計を設置することで生じる無線通信電波への影響及び雨量計計測精度の検討を行い、良好な無線通信と高精度な雨量計測を両立させることのできる雨量計の設置方法を提供することを例示的課題とする。
【課題を解決するための手段】
【００１２】
本発明の例示的側面としての雨量計測ユニットは、中継基地局の一部を構成するアンテナユニットと、アンテナユニット近傍に設置された雨量計とを有して構成される。アンテナユニットは、基点から略水平面内において放射状に伸びる棒状のアンテナアームと、各アンテナアームの放射方向先端部においてその下端が支持され、その上端が略鉛直方向に設置された棒状の空中線とを有して構成される。
【００１３】
雨量計は、その上面側に受水用の開口部を有して上下に延びる筒形状に構成されており、かつ、上面側における最上部の高さ位置がアンテナアームが位置する略水平面以下となるよう配置されている。
【００１４】
雨量計測ユニットは、無線移動局相互間の通信を可能とする通信網と無線移動局との間の通信を中継する中継基地局の一部を構成するアンテナユニットと、アンテナユニットの近傍に設置された雨量計と、を有する雨量計測ユニットであって、アンテナユニットは、基点から略水平面内において放射状に延びる複数の棒状のアンテナアームと、各アンテナアームの放射方向先端部近傍においてその下端が保持され、その上端が略鉛直上方向に延びるように立設された棒状の空中線と、基点から下方に延びて基点において複数のアンテナアームを集約保持する保持ポール部材と、を有して構成され、雨量計は、雨量計の上面側に受水用の開口部を有して上下に延びる筒形状に構成されており、かつ、上面側における最上部の高さ位置が実質的に水平面以下であるとともに、開口部の高さ位置が水平面と略等高である。
【００１５】
アンテナユニットの近傍に雨量計を配置することによって雨量計測ユニットとしているので、この雨量計測ユニットを広範囲の地域に亘り所定の設置間隔で設置することにより、無線移動局相互の通信と高精度な雨量計測とを両立させることができる。アンテナユニットの設置スペースと雨量計の設置スペースとをそれぞれ別途準備する必要がないので、設置スペースの節約にも寄与することができる。また、多数の雨量計をアンテナユニットと共に設置するので、安全かつ高精度な雨量計測を実現することができ、自然災害の効果的な予防に大きく貢献する。
【００１６】
雨量計の上面側における最上部の高さ位置が実質的に水平面以下となるように配置されているので、アンテナユニットからの電波に対して雨量計の配置が与える悪影響を小さくすることができる。アンテナユニットから放射される電波は空中線から放射されるものが支配的であるが、この空中線から放射される電波のアンテナパターン（放射エネルギー強度分布とも言う。）の殆どがアンテナアームよりも上方における空間に指向されている。したがって、水平面以下の空間位置においては電波の放射エネルギー強度が弱く、この部分に雨量計を配置しても、通信電波に障害を与えるおそれは殆どない。
【００１７】
なお、雨量計の開口部が水平面より下方に位置すると、開口部に至って計測されるべき雨滴の一部がアンテナアームや保持ポール部材によって遮断されてしまい、雨量計測の正確を期すことが難しくなる。したがって、正確な雨量計側の観点からは、雨量計の開口部が水平面よりもあまり下方とならないように、すなわち水平面と略同じ高さ位置となることが望ましい。
【００１８】
無線移動局が、携帯電話であってもよい。
【００２０】
アンテナユニットが保持ポール部材を有する場合において、雨量計の開口部を水平面より下方位置に配置すると、雨量計の開口部に至るべき雨滴の一部がアンテナアームや保持ポール部材によって遮断され、正確な雨量計測を阻害してしまう場合がある。しかしながら、雨量計の開口部が水平面と略等高とされていれば、計測されるべき雨滴がアンテナアームや保持ポール部材によって殆ど遮断されることなく開口部へと至ることとなり、正確な雨量計測に資することができる。
【００２１】
複数のアンテナアームが略等長である場合において、複数のアンテナアームの先端部同士を結ぶ円を断面として鉛直方向に延びる円筒領域内に、雨量計が配置されていてもよい。
【００２２】
複数のアンテナアームが略等長である場合、アンテナユニットは全体として円筒様形状を呈する。この全体形状（円筒様形状）の外側に雨量計が突出して配置されると、例えば輸送の際に邪魔になったり、作業者がアンテナユニット周囲でメンテナンス作業等をする場合にぶつかってしまったりと、取扱い性に困難が生じる。しかしながら、雨量計がこのアンテナユニットの全体形状の内側に入っていれば、換言すれば、複数のアンテナアームの先端部同士を結ぶ円を断面として鉛直方向に延びる円筒領域内に入っていれば、輸送の際に邪魔にならず、メンテナンス作業等の際にぶつかるおそれも少ない。この雨量計測ユニットの取扱い性が向上する。
【００２３】
雨量計の開口部とアンテナアームとが、鉛直方向において重複しないように構成されていてもよい。
【００２４】
雨量計の開口部とアンテナアームとが鉛直方向において重複しないように構成されているので、例えば無風状態の場合、鉛直方向に開口部に向けて落下する雨滴がアンテナアームによって遮断されてしまうという不具合を発生しない。したがって、雨量計測の精度の低下を防止することができる。
【００２５】
基点と雨量計の開口部中心とを結ぶ線が、雨量計と隣り合う２つのアンテナアームの基点における交差角の実質的な角度二等分線であってもよい。
【００２６】
雨量計の開口部中心が２つのアンテナアームの交差角の実質的な角度二等分線であるので、雨量計の開口部に対して両方のアンテナアームが略左右対称の位置関係に配置されることとなる。降雨時には横風を伴う場合が多く、横風が吹いている状態では雨滴が斜め下方に落下しつつ雨量計の開口部へと至ることとなる。このような場合に、雨量計の開口部の近傍であってかつそれよりも上方位置にアンテナアームが配置されると、強風の場合には斜め下方に落下して雨量計の開口部へと至るべき雨滴の一部がアンテナアームによって遮断されてしまう状況が生じ得る。
【００２７】
雨量計の左右近傍に２つのアンテナアームが配置されている場合に、そのうちの一方のアンテナアームが雨量計の開口部により近い位置にあると、そのアンテナアーム側から吹く横風により雨滴が遮断され易くなる。雨量計に対する風向きが右方向からか左方向からかによって雨量計測精度が不安定となってしまい、高精度な雨量計測を行うことができない。
【００２８】
しかしながら、雨量計の開口部に対してアンテナアームが略左右対称の位置に配置されれば、少なくとも風向きが右か左かによる計測精度の不安定さは解消される。左右どちらの方向から横風が吹いても、同じような安定性のある精度で雨量計測を行うことができる。
【００２９】
雨量計の開口部が実質的に半径ｒの円形断面を有し、アンテナアームの基点から先端部までの長さがＬであり、かつ、雨量計と隣り合う２つのアンテナアームの基点における交差角がθである場合において、基点から開口部中心までの水平面内における距離Ｘが実質的に、
Ｌ−ｒ≧Ｘ≧ｒ／｛ｓｉｎ（θ／２）｝
で与えられる範囲であってもよい。
【００３０】
基点から開口部中心までの距離Ｘを、上記の式によって与えられる範囲に設定することで、雨量計測ユニットの全体形状の外側への雨量計の突出防止及びアンテナアームと開口部との鉛直方向における重複防止を両立させることができる。したがって、雨量計測ユニットの取扱い性を向上させつつ雨量計測精度を向上させることができ、より高精度かつ安全な災害予防に寄与することができる。
【００３１】
距離Ｘが実質的に、
［（Ｌ−ｒ）−ｒ／｛ｓｉｎ（θ／２）｝］／２≧Ｘ≧ｒ／｛ｓｉｎ（θ／２）｝
で与えられる範囲であってもよい。
【００３２】
基点から開口部中心までの距離Ｘを、更に上記の式によって与えられる範囲に設定することで、雨量計の配置位置を空中線から有効に離間させることができ、空中線による雨滴の遮断を効果的に防止することができる。したがって、より一層の雨量計測の高精度化に貢献することができ、効果的な災害予防に寄与することができる。
【００３３】
本発明の他の例示的側面としての雨量計の取付け方法は、無線移動局相互間の通信を可能とする通信網と無線移動局との間の通信を中継する中継基地局の一部を構成するアンテナユニットの近傍に雨量計を取り付ける取付け方法であって、アンテナユニットが、基点から実質的に水平面内において放射状に延びる複数の棒状のアンテナアームと、各アンテナアームの放射方向先端部近傍においてその下端が保持され、その上端が実質的に鉛直上方向に延びるように立設された棒状の空中線と、基点から下方に延びて基点において複数のアンテナアームを集約保持する保持ポール部材と、を有して構成され、かつ、雨量計が、その上面側に受水用の開口部を有して上下に延びる筒形状に構成され、雨量計を、その上面側における最上部の高さ位置が水平面以下となるとともに、開口部の高さ位置が水平面と略等高となるように取り付けるものである。
【００３４】
アンテナユニットの近傍に雨量計を配置することによって雨量計測ユニットとしているので、この雨量計測ユニットを広範囲の地域に亘り所定の設置間隔で設置することにより、無線移動局相互の通信と高精度な雨量計測とを両立させることができる。アンテナユニットの設置スペースと雨量計の設置スペースとをそれぞれ別途準備する必要がないので、設置スペースの節約にも寄与することができる。また、多数の雨量計をアンテナユニットと共に設置するので、安全かつ高精度な雨量計測を実現することができ、自然災害の効果的な予防に大きく貢献する。
【００３５】
雨量計の上面側における最上部の高さ位置が実質的に水平面以下となるように配置されているので、アンテナユニットからの電波に対して雨量計の配置が与える悪影響を小さくすることができる。アンテナユニットから放射される電波は空中線から放射されるものが支配的であるが、この空中線から放射される電波のアンテナパターン（放射エネルギー強度分布とも言う。）の殆どがアンテナアームよりも上方における空間に指向されている。したがって、水平面以下の空間位置においては電波の放射エネルギー強度が弱く、この部分に雨量計を配置しても、通信電波に障害を与えるおそれは殆どない。
【００３６】
本発明の更なる課題又はその他の特徴は、以下添付図面を参照して説明される好ましい実施例によって明らかにされるであろう。
【発明の効果】
【００３７】
本発明によれば、無線移動局用のアンテナユニットの近傍に雨量計を配置しているので、各々の配置スペースを別途準備する必要がない。この雨量計測ユニットを広範囲に亘り多数設置するだけで、無線移動局の通信可能領域の拡大と高精度な雨量計測（及びその計測データを用いた高精度な自然災害予測や自然災害予防。）を実現することができる。
【００３８】
また、アンテナユニットを構成する各構成部材と雨量計とを適切に配置しているので、無線通信への影響を最小限に抑えつつ雨量計測データの高精度化（精度低下の防止を含む。）を実現し、しかもこの雨量計測ユニットの取扱い性も向上させることができる。
【図面の簡単な説明】
【００３９】
【図１】本発明の実施の形態に係る雨量計測ユニットの概略を示す外観斜視図である。
【図２】図１に示す雨量計測ユニットを上方から見た平面図である。
【図３】図１に示す雨量計測ユニットを矢印Ｙ方向から見た側面図である。
【図４】図１に示す雨量計測ユニットを矢印Ｚ方向から見た側面図である。
【図５】図１に示す雨量計測ユニットにおけるアンテナユニットのアンテナパターンを示す図である。
【図６】図１に示す雨量計測ユニットを上方から見た平面図であって、雨量計近傍の要部を拡大して示した模式図である。
【図７】図１に示す雨量計測ユニットにおける距離Ｘと遮蔽率Ｃとの関係を示すグラフである。
【発明を実施するための形態】
【００４０】
以下、本発明に実施の形態に係わる雨量計測ユニットについて、図面を用いて説明する。図１は、この雨量計測ユニットＵの構成の概略の概略を示す外観斜視図である。また、図２は、この雨量計測ユニットＵを上方から見た平面図、図３は図２中の矢印Ｙ方向から見た側面図である。雨量計測ユニットＵは、アンテナユニットＡと雨量計Ｓとを有して大略構成されている。この雨量計測ユニットＵは、無線移動局との通信を可能とする機能と降雨量を観測する機能とを併せ持ち、独立柱の他、例えば、ビル、家屋の屋上、電柱及び看板等に設置されている。
【００４１】
雨量計測ユニットＵは、無線移動局の通信可能領域（実質的に、略円形領域である。）を構築し、その通信可能領域の略中心に位置する。そして、無線移動局の通信不能領域を生じさせないために、この雨量計測ユニットＵは所定の設置間隔で広範囲にわたって多数設置される。その設置間隔は、例えば、１つの雨量計測ユニットＵが構築する通信可能領域が半径Ｒの円形領域である場合において、概ね√３・Ｒ程度の距離である。
【００４２】
空中線Ａは、雨量計測ユニットＵのうち、無線移動局との通信を実現する機能を担う。
【００４３】
アンテナユニットＡは、図に示すように、基地局ポール（保持ポール部材）２、複数のアンテナアーム４、複数の空中線６を有して大略構成されている。基地局ポール２は、略鉛直方向に立設して設置される棒状の保持部材であって、その先端部分を基点８として複数のアンテナアーム４を集約的に保持している。基地局ポール２は、例えば鉄やアルミニウム合金等の金属を材料とする円柱部材で構成され、アンテナアーム４や空中線６の重量を支えるための高剛性部材である。基地局ポール２の途中部分、すなわち基点８の下方位置には、雨量計Ｓを取り付けるための取付けアーム１２が取り付けられているが、これらについては詳細を後述する。
【００４４】
アンテナアーム４は、基地局ポール２と空中線６との間を中継するように両者に接続され、基地局ポール２に対して間接的に空中線６を固定している。アンテナアーム４は、基点８において基地局ポール２に保持されている。アンテナアーム４は、例えば直径φ３０ｍｍの金属製棒状部材であって、各々の長さＬがすべて同じにされている。そして複数のアンテナアーム４が基点８から先端部５に向けて水平に延び、基点８を中心として放射状に配置されている。
【００４５】
水平方向に延びる８本のアンテナアーム４の上側の円柱側面部分に接する仮想的な平面が水平面Ｐを構成している。本実施の形態においては、例えば８本のアンテナアーム４が互いに水平面Ｐ内で４５°の角度で放射状に配置され、各先端部５が正八角形の頂点に相当する位置に配置されている。
【００４６】
空中線６は、各アンテナアーム４の先端部５近傍において各々その下端６ａが保持され、その上端６ｂが略鉛直上方向に向けて延びるように立設された棒状の部材である。空中線６は、例えば直径φ３０ｍｍの円柱部材であって、図示しない中継器本体（中継基地局の一部）と電気的に接続されている。そして、中継器本体からの電気信号に基づき空中線６から電波を送信したり、ＰＨＳ端末からの電波を受信してその電気信号を中継器本体に送ったりすることによって、ＰＨＳ端末との無線通信を可能としている。
【００４７】
雨量計Ｓは、その上面側に受水用の開口部１１を有して略円筒形状を呈している。その円形状の開口部１１内に落下した雨滴量を計測することにより、正確に雨量計測を行うことができるようになっている。雨量計Ｓとしては、転倒ます型雨量計や貯水型雨量計等の公知の雨量計を適用することができる。そして、広範囲に亘って設置された多数の雨量計Ｓは、例えば統合的に雨量計測システムや気象情報システム、災害予防システム等に接続されてそれらの計測データが集約され、降雨状況や天候変化の予測や分析、災害発生の予測や予防に利用されている。
【００４８】
この雨量計Ｓは、図に示すように、取付けアーム１２及び支持部材１４によって基地局ポール２に取り付けられている。そして、その開口部１１を上方に向けて略円筒形状の外形が上下方向に延びるように配置されている。なお、本実施の形態におけるアンテナユニットＡに対する雨量計Ｓの配置位置について、以下に詳細に説明する。
【００４９】
＜雨量計測ユニットを側方から見た場合における雨量計の配置＞
図４は、この雨量計測ユニットＵを図２中の矢印Ｚ方向から見た側面図である。雨量計Ｓは、２つの隣り合うアンテナアーム４の間に配置されている。水平面Ｐは、アンテナアーム４の円柱側面の上側部分に接するように仮想的に構築されている。そして、雨量計Ｓは、その上面側における最上部１０の高さ位置が水平面Ｐ以下となるように配置されている。ここで、雨量計Ｓの上面側における最上部１０が実質的に開口部１１である場合には、その開口部１１が水平面Ｐ以下の高さ位置となるように配置される。また、仮に雨量計Ｓが開口部１１よりも上方に突出する突出部を有する場合には、その突出部の高さ位置が水平面Ｐ以下となるように配置される。
【００５０】
図５は、この雨量計測ユニットＵにおけるアンテナユニットＡのアンテナパターンＱを示す図である。アンテナパターンＱは、アンテナユニットＡから発せられる無線通信用電波の放射エネルギー強度分布を示すものである。図５においては、中心点Ｏを中心とする極座標における、アンテナユニットＡによる無線電波の放射エネルギー強度分布を示している。なお、中心点Ｏは、空中線６の半分の長さに相当する高さ位置であって基点８の鉛直上方位置の点である。
【００５１】
図５に示すアンテナパターンＱによれば、アンテナユニットＡの電波の放射エネルギー強度は、アンテナアーム４の下方、すなわち水平面Ｐの高さ以下の領域においては弱く、この領域に雨量計Ｓが配置されてもアンテナユニットＡによる無線通信への悪影響は殆どない。したがって、雨量計Ｓの最上部１０が水平面Ｐ以下の高さ位置にあれば、雨量計ＳがＰＨＳ端末相互の無線通信に対する障害の原因となるおそれは殆どない。
【００５２】
一方、図４の記載から分かるように、横風等によって斜め下方に落下する雨滴Ｄがアンテナアーム４によって遮断されてしまう場合がある。このとき、雨量計Ｓの開口部１１が水平面Ｐよりも下方に位置する場合には、本来は開口部１１へと至って計測されるべき雨滴Ｄがアンテナアーム４によって遮断されて計測されないという問題が生じることとなる。
【００５３】
また、図示していないが、雨量計Ｓの開口部１１が水平面Ｐよりも下方に位置すると、雨量計Ｓによって計測されるべき雨滴Ｄの一部が基地局ポール２によっても遮断されてしまい、基地局ポール２が雨量計側に悪影響を与えてしまう可能性もある。
【００５４】
したがって、雨量計Ｓの開口部１１の高さ位置は、理論的には水平面Ｐの高さ位置以上に位置することが雨量計測の精度向上の観点からは望ましい。一方で、開口部１１を水平面Ｐよりも上方に位置させると、雨量計Ｓ配置によるアンテナユニットＡの電波への影響が懸念される。したがって、雨量計測精度向上と電波への影響低減の両立を考慮すると、雨量計Ｓの開口部１１の高さ位置が水平面Ｐの高さ位置と略等高とされていることが好ましい。
【００５５】
なお、横風の影響を無視すれば、開口部１１の高さ位置を水平面Ｐの高さ位置よりも下方としても問題がない。また、どの程度の風速の横風まで考慮するかによって、開口部１１の高さ位置を水平面Ｐの高さ位置よりどの程度下方とすることができるかが決定される。この場合において、想定される最大風速、開口部１１の直径、アンテナアーム４の直径、アンテナアーム４と雨量計Ｓとの水平方向距離等のパラメータを考慮すれば、開口部１１を水平面Ｐからどの程度下に下げても問題がないかを算出することができる。
【００５６】
なお、アンテナアーム４が雨滴Ｄを遮断してしまうことによる雨量計測への悪影響を最小限とするためには、雨量計Ｓの配置位置を２つのアンテナアーム４の放射角度の角度二等分線上とすることが好ましい（図６参照）。すなわち、開口部１１の中心（開口部中心）Ｎと基点８とを結ぶ直線が、雨量計Ｓと隣り合う左右２つのアンテナアーム４が基点８において交差する交差角の実質的な角度二等分線となっていることが好ましい。
【００５７】
雨量計Ｓに対して、左右に隣り合う２つのアンテナアーム４が左右対称の位置関係となるので、一方のアンテナアーム４が雨量計Ｓにより近いということがない。雨量計測は、左右どちらからの風の影響も同様に受けることとなる。
【００５８】
＜雨量計測ユニットを上方から見た場合における雨量計の配置＞
図６は、この雨量計測ユニットＵを上方から見た平面図であって、雨量計Ｓ近傍の要部を拡大して示した模式図である。上述したように、雨量計Ｓは、隣り合う２つのアンテナアーム４の交差角θの実質的な角度二等分線上にその中心Ｎが位置するように配置されている。それにより、隣り合う２つのアンテナアーム４による雨滴Ｄの遮断の影響が最も少なくされ、かつ左右どちらからの風の影響も同様に（均等に）受けるようにされている。そして、後述するように、雨量計Ｓを基点８側になるべく近づけて配置しても、開口部１１とアンテナアーム４とが鉛直方向において重複し難い。したがって、交差角θの角度二等分線上に中心Ｎを配置することで、高精度な雨量計測に貢献することができる。
【００５９】
基点８から中心Ｎまでの距離Ｘは、雨量計Ｓの開口部１１の半径をｒ、基点８からアンテナアーム４の先端部５までの長さ（実質的に、アンテナアーム４の長さ）をＬとすると、以下の式で与えられる範囲であることが望ましい。
【００６０】
Ｌ−ｒ≧Ｘ≧ｒ／｛ｓｉｎ（θ／２）｝        −（１）
ここで、距離Ｘ１＝Ｌ−ｒ、距離Ｘ２＝｛ｓｉｎ（θ／２）｝とすると、距離Ｘ１，Ｘ２は各々図６中に示される位置に相当する。Ｘ１≧Ｘは、雨量計Ｓが、アンテナアーム４の先端部５を結ぶ円を断面として鉛直方向に延びる円筒領域内に配置されるための条件を表す。すなわち、雨量計測ユニットＵを上方から見た場合に、図２及び図６に二点鎖線で示す円領域Ｂ内に、雨量計Ｓが配置されていることを表す。
【００６１】
この円領域Ｂから雨量計Ｓが外側に突出すると、雨量計測ユニットＵの輸送や運搬時、メンテナンス時等に、他の部材や作業員にぶつかってしまい取扱い性が良くない。しかし、雨量計Ｓが円領域Ｂ内に配置されていれば、他の部材や作業員が不意に雨量計Ｓにぶつかってしまうことが殆どなく、雨量計測ユニットＵは良好な取扱い性を実現することができる。雨量計Ｓの配置位置が衝突によってズレてしまうことも防止することができるので、設置の位置再現性や高精度化に寄与することもできる。
【００６２】
一方、Ｘ≧Ｘ２は、雨量計Ｓの開口部１１とアンテナアーム４とが鉛直方向において重複しないための条件を表す。ここで、Ｘ２は、アンテナアーム４の厚さ（本実施の形態においては、アンテナアーム４の断面径）を無視した場合における理論的なＸの下限値を示しているが、アンテナアーム４の厚さを考慮する場合は、一般的にＸ２は、ｒ／｛ｓｉｎ（θ／２）｝よりも大きな値となる。
【００６３】
Ｘ＜Ｘ２となると、開口部１１の一部が鉛直方向においてアンテナアーム４と重複し始め、無風状態において鉛直に落下する雨滴Ｄの一部がアンテナアーム４によって遮断されて開口部１１へと至らないという不具合が発生し始める。しかし、Ｘ≧Ｘ２であれば、開口部１１とアンテナアーム４とは鉛直方向において重複せず、そのような不具合が発生しない。
【００６４】
なお、雨量計Ｓの左右に隣り合って位置する空中線６（図５中の斜線部参照。）は、水平面Ｐよりも上方へと鉛直に延びている。したがって、この空中線６による雨滴Ｄの遮断も雨量計測の精度にとって無視できない問題となり得る。すなわち、本来的に雨量計Ｓの開口部１１へと至るべき雨滴Ｄが、横風によって雨滴Ｄが斜め下方に向けて落下する場合には、その一部が空中線６によって遮断されてしまって開口部１１へと至らなくなってしまう場合がある。この「開口部１１へと至るべき雨滴Ｄのうち、空中線６によって遮断されてしまう雨滴Ｄの割合」を遮蔽率Ｃで定義することとする。
【００６５】
遮蔽率Ｃは、換言すると、「開口部１１の中心Ｎを中心とした３６０°の全周長のうち、空中線６が占める長さ」とも言うことができる。
【００６６】
空中線６の断面直径をｄとすると、雨量計Ｓの左右２本の空中線６による雨滴Ｄの遮蔽率Ｃ１は、以下の式によって近似的に与えられる。
【００６７】
【数１】
0005514497.tif 000002
例えば、本発明の実施の形態において、空中線６の断面直径ｄ＝３０ｍｍ、アンテナアーム４の長さＬ＝６５０ｍｍであって、８本の空中線６が正八角形の頂点位置に配置されている（すなわち、２本の隣り合うアンテナアーム４の交差角θ＝４５°）とすると、雨量計Ｓの左右に隣り合う２本の空中線６による遮蔽率Ｃ１は、
【００６８】
【数２】
0005514497.tif 000003
となる。また、開口部１１の中心Ｎと基点８とを結ぶ線との交差角が６７．５°の関係にある２つの空中線６（図２中の１６）による遮蔽率Ｃ２は、
【００６９】
【数３】
0005514497.tif 000004
となる。また、開口部１１の中心Ｎと基点８とを結ぶ線との交差角が１１２．５°の関係にある２つの空中線６（図２中の２６）による遮蔽率Ｃ３は、
【００７０】
【数４】
0005514497.tif 000005
となる。また、開口部１１の中心Ｎと基点８とを結ぶ線との交差角が１５７．５°の関係にある２つの空中線６（図２中の３６）による遮蔽率Ｃ４は、
【００７１】
【数５】
0005514497.tif 000006
となる。
【００７２】
つまり、雨量計Ｓの開口部１１に対する８本の空中線６による遮蔽率Ｃは、これらの合計となり、Ｃ＝Ｃ１＋Ｃ２＋Ｃ３＋Ｃ４である。この遮蔽率Ｃと距離Ｘ（基点８から開口部１１の中心Ｎまでの距離）との関係をグラフに表したものが、図７である。図７によれば、上式（１）によって雨量計Ｓの適正設置範囲Ｍ１が２６１ｍｍ≦Ｘ≦５５０ｍｍとして求められている。これは、上記数式（１）に、アンテナアームの長さＬ＝６５０ｍｍ、開口部１１の半径ｒ＝１００ｍｍ、交差角θ＝４５°を代入して求められる距離Ｘの範囲である。
【００７３】
また、適正設置範囲Ｍ１の中でも、距離Ｘが小さい方が（すなわち、雨量計Ｓが基点８に近い方が）遮蔽率Ｃの観点からは好ましいことが図７に示されており、特に遮蔽率６．５％以下を達成する好適設置範囲Ｍ２に雨量計Ｓを配置することがより一層望ましい。この好適設置範囲Ｍ２は、適正設置範囲Ｍ１における距離Ｘの下限値から中央値までを範囲とするものであり、すなわち、２６１ｍｍ≦Ｘ≦４０６ｍｍに相当する範囲である。この好適設置範囲Ｍ２を一般化すれば、以下の式によって表される距離Ｘの数値範囲となる。
【００７４】
［（Ｌ−ｒ）−ｒ／｛ｓｉｎ（θ／２）｝］／２≧Ｘ≧ｒ／｛ｓｉｎ（θ／２）｝  −（７）
すなわち、上記に説明したように、本発明に係る雨量計測ユニットＵにおいては、その側方から見た場合において、雨量計Ｓの最上部１０が水平面Ｐ以下とされており、雨量計Ｓの開口部１１が水平面Ｐと略等高とされていることが望ましい。それにより、雨量計Ｓの配置によるアンテナユニットＡの電波放射への影響を低減することができ、しかも、アンテナアーム４による雨量計測への影響も低減することができる。
【００７５】
更に、雨量計測ユニットＵを、その上方から見た場合において、雨量計Ｓの開口部１１の中心Ｎと基点８とを結ぶ線が隣り合う２つのアンテナアーム４同士の基点８における交差角θの角度二等分線となっていることが望ましい。それにより、アンテナアーム４による雨量計測への影響を低減することができ、風向きによる雨量計測への影響の不均衡を防止することができる。
【００７６】
また、開口部１１の中心Ｎと基点８との距離Ｘは、上記数式（１）で規定される適正設置範囲Ｍ１の範囲内であることが望ましく、更に上記数式（７）で規定される好適設置範囲Ｍ２の範囲内であることが一層好ましい。これにより、雨量計測ユニットＵの取扱い性の向上、アンテナアーム４と開口部１１との鉛直方向における重複の防止、空中線６による雨量計測への影響の低減を図ることができる。
【００７７】
以上、本発明の好ましい実施の形態を説明したが、本発明はこれらに限定されるものではなく、その要旨の範囲内で様々な変形や変更が可能である。
【００７８】
例えば、本発明においては、アンテナアーム４及び空中線６が各８本の場合について説明したが、もちろん、それらが各４本の場合、各６本の場合、各１０本の場合等様々な本数の場合にも本発明の要旨を適用することができる。また、アンテナユニットＡは、ＰＨＳ端末用のものに限られず、通信可能領域が数ｋｍ〜数１０ｋｍ程度の一般的な携帯電話用のものであっても、その他の無線移動局用のものであってもよい。雨量計Ｓは、転倒ます型のものであっても貯水型のものであってもよいし、その開口部１１形状も円形に限られず、四角形、楕円形等様々な形状が適用可能である。
【符号の説明】
【００７９】
θ：交差角
Ａ：アンテナユニット
Ｂ：円領域
Ｃ，Ｃ１〜Ｃ４：遮蔽率
Ｄ：雨滴
ｄ：空中線の断面直径
Ｌ：長さ
Ｍ１：適正設置範囲
Ｍ２：好適設置範囲
Ｎ：中心（開口部中心）
Ｐ：水平面
Ｑ：アンテナパターン
ｒ：開口部の半径
Ｓ：雨量計
Ｕ：雨量計測ユニット
Ｘ，Ｘ１，Ｘ２：距離
Ｙ，Ｚ：矢印
２：基地局ポール（保持ポール部材）
４：アンテナアーム
５：先端部
６，１６，２６，３６：空中線
６ａ：下端
６ｂ：上端
８：基点
１０：最上部
１１：開口部
１２：取付けアーム
１４：支持部材
【図１】
0005514497.tif 000007
【図２】
0005514497.tif 000008
【図３】
0005514497.tif 000009
【図４】
0005514497.tif 000010
【図５】
0005514497.tif 000011
【図６】
0005514497.tif 000012
【図７】
0005514497.tif 000013